(57)【要約】【課題】生物分解性に優れた柔軟基剤を用いた液体柔軟剤組成物に関し、柔軟性能を従来以上に高めることができ、低粘度及び分散安定性に優れる液体柔軟剤組成物及びその製造方法を提供する。【解決手段】（ａ）エステル結合（ＣＯＯ）を含む３種の特定の４級アンモニウム塩、（ｂ）３級アミン化合物、（ｃ）非イオン界面活性剤、及び水を、特定条件で含有する液体柔軟剤組成物。【選択図】なし【特許請求の範囲】
【請求項１】
下記（ａ）成分を０．５質量％以上２５質量％以下、（ｂ）成分を１質量％以上３質量％以下、（Ｃ）成分を０．０５質量％以上１０質量％以下、及び水を含有する液体柔軟剤組成物であり、
（ａ）成分において、（Ｍ）／（Ｔ）の質量比が２０／１００以上１６０／１００以下、（Ｄ）／（Ｔ）の質量比が５０／１００以上２８０／１００以下であり、
（ａ）成分と（ｃ）成分の質量比（ａ）／（ｃ）が７０／３０以上９９／１以下である、
液体柔軟剤組成物。
（ａ）成分：（Ｍ）下記一般式（Ｉ）で示される化合物、（Ｄ）下記一般式（II）で示される化合物、及び（Ｔ）下記一般式（III）で示される化合物
【化１】
2017066569.tif 000009
〔式中、Ｒ１は炭素数１１以上２３以下の直鎖又は分岐鎖の飽和又は不飽和炭化水素基を示す。Ｒ２はＨＯ−（ＣｐＨ２ｐＯ）ｒＣｑＨ２ｑ−で示される基を示す。ｐ及びｑは２又は３の数であり、ｒは０以上１．５以下の数である。Ｒ3は炭素数１以上３以下の炭化水素基を示す。同一分子内にＲ１、Ｒ２、ｐ、ｑ、ｒが複数存在する場合、それらは同一でも異なっていてもよい。Ｘ−は陰イオン基を示す。〕
（ｂ）成分：３級アミン化合物
（ｃ）成分：非イオン界面活性剤
【請求項２】
（ｂ）成分が（ｂ−１）下記一般式（IV）で示される化合物、（ｂ−２）下記一般式（Ｖ）で示される化合物、（ｂ−３）下記一般式（VI）で示される化合物、及び（ｂ−４）下記一般式（VII）で示される化合物から選ばれる１種以上の３級アミン化合物である、請求項１に記載の液体柔軟剤組成物。
【化２】
2017066569.tif 000010
〔式中、Ｒ４は炭素数１１以上２３以下の直鎖又は分岐鎖の飽和又は不飽和炭化水素基を示す。Ｒ５はＨＯ−（ＣｐＨ２ｐＯ）ｒＣｑＨ２ｑ−で示される基を示す。ｐ及びｑは２又は３の数であり、ｒは０以上１．５以下の数である。同一分子内にＲ４、Ｒ５、ｐ、ｑ、ｒが複数存在する場合、それらは同一でも異なっていてもよい。〕
【請求項３】
更に（ｄ）成分として水溶性有機溶剤を含有する請求項１又は２に記載の液体柔軟剤組成物。
【請求項４】
更に（ｅ）成分として無機又は有機の電解質を含有する請求項１〜３の何れかに記載の液体柔軟剤組成物。
【請求項５】
下記工程１及び工程２を含む、液体柔軟剤組成物の製造方法。
工程１：炭素数２又は３のアルキレンオキシドがヒドロキシアルキル基１モルに対して１．５モル以下の割合で付加してもよい、ヒドロキシアルキル基の炭素数が２又は３のトリアルカノールアミン（以下、トリ（ＡＯ）アルカノールアミンという）と脂肪酸とを、トリ（ＡＯ）アルカノールアミンに対する脂肪酸の反応モル比１．２以上２．1以下でエステル化反応させ、反応物を４級アンモニウム塩化することによって得られたトリ（ＡＯ）アルカノールアミン脂肪酸エステルの４級アンモニウム塩（ａ−１）、及び前記トリ（ＡＯ）アルカノールアミンと脂肪酸とを、トリ（ＡＯ）アルカノールアミンに対する脂肪酸の反応モル比２．１超３．０以下でエステル化反応させ、反応物を４級アンモニウム塩化することによって得られたトリ（ＡＯ）アルカノールアミン脂肪酸エステルの４級アンモニウム塩（ａ−２）を混合して、下記（ａ）成分を含む混合物を得る工程であって、
（Ｍ）／（Ｔ）の質量比が２０／１００以上１６０／１００以下、（Ｄ）／（Ｔ）の質量比が５０／１００以上２８０／１００以下となるように、（ａ−１）と（ａ−２）を混合する工程
工程２：工程１で得られた（ａ）成分、下記（ｂ）成分、下記（ｃ）成分、及び水を混合して、（ａ）成分を０．５質量％以上２５質量％以下、（ｂ）成分を１質量％以上３質量％以下、（ｃ）成分を０．０５質量％以上１０質量％以下含有する液体柔軟剤組成物を得る工程であって、
（ａ）成分と（ｃ）成分の質量比（ａ）／（ｃ）が７０／３０以上９９／１以下となるように（ａ）成分と（ｃ）成分を混合する工程
（ａ）成分：（Ｍ）下記一般式（Ｉ）で示される化合物、（Ｄ）下記一般式（II）で示される化合物、及び（Ｔ）下記一般式（III）で示される化合物
【化３】
2017066569.tif 000011
〔式中、Ｒ１は炭素数１１以上２３以下の直鎖又は分岐鎖の飽和又は不飽和炭化水素基を示す。Ｒ２はＨＯ−（ＣｐＨ２ｐＯ）ｒＣｑＨ２ｑ−で示される基を示す。ｐ及びｑは２又は３の数であり、ｒは０以上１．５以下の数である。Ｒ3は炭素数１以上３以下の炭化水素基を示す。同一分子内にＲ１、Ｒ２、ｐ、ｑ、ｒが複数存在する場合、それらは同一でも異なっていてもよい。Ｘ−は陰イオン基を示す。〕
（ｂ）成分：３級アミン化合物
（ｃ）成分：非イオン界面活性剤
【請求項６】
工程１において、（ａ−１）の４級アンモニウム塩化反応を無溶媒下で行い、（ａ−２）の４級アンモニウム塩化反応を溶媒存在下で行う、請求項５に記載の液体柔軟剤組成物の製造方法。
【請求項７】
（ａ−２）の４級アンモニウム塩化反応で用いる溶媒が、エタノール、イソプロパノール又はエチレングリコールである、請求項６記載の液体柔軟剤組成物の製造方法。
【請求項８】
（ａ−１）が（Ｍ）、（Ｄ）及び（Ｔ）を含み、（ａ−１）において、（Ｍ）／（Ｔ）の質量比が２００／１００以上２７０／１００以下、（Ｄ）／（Ｔ）の質量比が３７５／１００以上４４５／１００以下であり、（ａ−２）が（Ｍ）、（Ｄ）及び（Ｔ）を含み、（ａ−２）において、（Ｍ）／（Ｔ）の質量比が１／１００以上６０／１００以下、（Ｄ）／（Ｔ）の質量比が３／１００以上６０／１００以下である、請求項５〜７の何れかに記載の液体柔軟剤組成物の製造方法。
【発明の詳細な説明】
【技術分野】
【０００１】
本発明は、液体柔軟剤組成物及び液体柔軟剤組成物の製造方法に関する。
【背景技術】
【０００２】
繊維用柔軟仕上げ剤として市販されている商品は環境への負荷が小さい生物分解性に優れた基剤を使用している。例えばＮ−メチル−Ｎ−ヒドロキシエチル−Ｎ，Ｎ−ビス(長鎖アルカノイルオキシエチル)アンモニウム・メチル硫酸塩等を挙げることができる。この化合物は、トリエタノールアミンを、脂肪酸でエステル化、或いは脂肪酸メチルエステルなどでエステル交換し、続いてジメチル硫酸で４級化して調製される化合物である。このようにして得られた化合物は、トリエタノールアミンのヒドロキシエチル基が、脂肪酸とエステル結合をした構成を有する化合物であって、モノエステル体（以下、モノ体と言う場合もある）、ジエステル体（以下、ジ体と言う場合もある）及びトリエステル体（以下、トリ体と言う場合もある）の混合物となる。
【０００３】
しかしながら、このような脂肪酸エステルタイプの4級アンモニウム塩による柔軟効果は、かつての柔軟基剤である、ジタロウジメチルアンモニウム塩のような、ジ長鎖アルキルジ短鎖アルキルアンモニウム塩と比較して柔軟性や保存安定性に劣る。従って脂肪酸エステルタイプの４級アンモニウム塩のような生物分解性に優れた基剤を用いて、優れた柔軟性を得る技術が求められている。また、４級化の際に未反応の脂肪酸エステルタイプの３級アミンは４級アンモニウム化合物と比較して柔軟性において劣る。加えてトリ体を増やすと分散安定性が低下する。従ってトリ体の増加は好ましくない。現状ではトリエタノールアミンと脂肪酸又は脂肪酸メチルエステルを特定比率で反応させ、ジエステル体が中心の混合物を用いている。エステル化の程度を考慮した先行技術として以下のようなものが知られている。
【０００４】
特許文献１には、ジ体の割合が５５重量％以上である４級アンモニウム塩混合物及びその製造法が開示されている。特許文献２には、トリ体の割合が１５〜８５重量％の第４級アンモニウム塩組成物及びこれを含有する柔軟仕上げ剤組成物が開示されている。特許文献３には、トリ体の割合が０．１〜４０重量％の４級アンモニウム塩混合物を用いた液体柔軟剤組成物が開示されている。特許文献４には、トリ体の割合が５〜３０重量％の第４級アンモニウム塩混合物を含有する液体柔軟剤組成物が開示されている。特許文献５には、モノ体、ジ体、トリ体を所定の重量比で含む４級アンモニウム塩混合物を含有する柔軟剤組成物が開示されている。特許文献６には、トリ体の割合が３０〜７０重量％の４級アンモニウム塩混合物を含有する繊維処理剤組成物が開示されている。
【先行技術文献】
【特許文献】
【０００５】
【特許文献１】特表２０００−５０９４４５号公報
【特許文献２】特開２００１−１３１８７１号公報
【特許文献３】特開２０１２−８２５３８号公報
【特許文献４】特開２００６−２０７１１２号公報
【特許文献５】特開２００１−３３６０６５号公報
【特許文献６】特開２０１２−２０２０００号公報
【発明の概要】
【発明が解決しようとする課題】
【０００６】
本発明は、生物分解性に優れた柔軟基剤を用いた液体柔軟剤組成物であって、より優れた柔軟性を有し、低粘度及び分散安定性に優れる液体柔軟剤組成物及びその製造方法を提供する。
【課題を解決するための手段】
【０００７】
本発明者らは、まず本来柔軟性への寄与が低いと考えられていたモノ体が柔軟性に寄与していることを見出した。またモノ体は保存安定性にも優位であることが判明した。先行技術には、モノ体、ジ体及びトリ体のそれぞれの比率が記載された混合物が開示されているが、実際のところ、脂肪酸のアルキル分布や触媒等による影響を除き、脂肪酸とトリエタノールアミンの比率が決まると、混合物として生成されるエステル化合物のモノ体、ジ体、トリ体の比率も決まる。例えば、脂肪酸の割合を増やすとトリ体が増加し、減らすとジ体が増え、更に減らすとモノ体が増加していく。すなわち、トリ体を増やす反応はモノ体を低減させ、次いでジ体を低減させてしまう。逆にモノ体を増やす反応はトリ体が生成しにくい。またトリエタノールアミンと脂肪酸のエステル化反応時は、モノ体、ジ体及びトリ体の間でエステル交換されやすい状況にある。
【０００８】
本発明者らはアルカノールアミンの脂肪酸エステルの４級アンモニウム塩混合物を柔軟性の主基剤とする液体柔軟剤組成物に関し、４級アンモニウム塩混合物中にモノ体とジ体を一定量以上存在させた上でトリ体の割合を増やすこと、分散剤としての非イオン界面活性剤が及ぼす影響を見直すこと、及び３級アミン化合物をある程度残留させることで、分散性を損なうことなく、低粘度で柔軟性に優れた液体柔軟剤組成物が得られることを見出した。
【０００９】
すなわち本発明は、下記（ａ）成分を０．５質量％以上２５質量％以下、（ｂ）成分を１質量％以上３質量％以下、（Ｃ）成分を０．０５質量％以上１０質量％以下、及び水を含有する液体柔軟剤組成物であり、
（ａ）成分において、（Ｍ）／（Ｔ）の質量比が２０／１００以上１６０／１００以下、（Ｄ）／（Ｔ）の質量比が５０／１００以上２８０／１００以下であり、
（ａ）成分と（ｃ）成分の質量比（ａ）／（ｃ）が７０／３０以上９９／１以下である、
液体柔軟剤組成物に関する。
（ａ）成分：（Ｍ）下記一般式（Ｉ）で示される化合物、（Ｄ）下記一般式（II）で示される化合物、及び（Ｔ）下記一般式（III）で示される化合物
【００１０】
【化１】
2017066569.tif 000002
【００１１】
〔式中、Ｒ１は炭素数１１以上２３以下の直鎖又は分岐鎖の飽和又は不飽和炭化水素基を示す。Ｒ２はＨＯ−（ＣｐＨ２ｐＯ）ｒＣｑＨ２ｑ−で示される基を示す。ｐ及びｑは２又は３の数であり、ｒは０以上１．５以下の数である。Ｒ3は炭素数１以上３以下の炭化水素基を示す。同一分子内にＲ１、Ｒ２、ｐ、ｑ、ｒが複数存在する場合、それらは同一でも異なっていてもよい。Ｘ−は陰イオン基を示す。〕
（ｂ）成分：３級アミン化合物
（ｃ）成分：非イオン界面活性剤
【００１２】
また本発明は、下記工程１及び工程２を含む、液体柔軟剤組成物の製造方法に関する。
工程１：炭素数２又は３のアルキレンオキシドがヒドロキシアルキル基１モルに対して１．５モル以下の割合で付加してもよい、ヒドロキシアルキル基の炭素数が２又は３のトリアルカノールアミン（以下、トリ（ＡＯ）アルカノールアミンともいう）と脂肪酸とを、トリ（ＡＯ）アルカノールアミンに対する脂肪酸の反応モル比１．２以上２．1以下でエステル化反応させ、反応物を４級アンモニウム塩化することによって得られたトリ（ＡＯ）アルカノールアミン脂肪酸エステルの４級アンモニウム塩（ａ−１）、及び前記トリ（ＡＯ）アルカノールアミンと脂肪酸とを、トリ（ＡＯ）アルカノールアミンに対する脂肪酸の反応モル比２．１超３．０以下でエステル化反応させ、反応物を４級アンモニウム塩化することによって得られたトリ（ＡＯ）アルカノールアミン脂肪酸エステルの４級アンモニウム塩（ａ−２）を混合して、下記（ａ）成分を含む混合物を得る工程であって、
（Ｍ）／（Ｔ）の質量比が２０／１００以上１６０／１００以下、（Ｄ）／（Ｔ）の質量比が５０／１００以上２８０／１００以下となるように、（ａ−１）と（ａ−２）を混合する工程
工程２：工程１で得られた（ａ）成分、下記（ｂ）成分、下記（ｃ）成分、及び水を混合して、（ａ）成分を０．５質量％以上２５質量％以下、（ｂ）成分を１質量％以上３質量％以下、（ｃ）成分を０．０５質量％以上１０質量％以下含有する液体柔軟剤組成物を得る工程であって、
（ａ）成分と（ｃ）成分の質量比（ａ）／（ｃ）が７０／３０以上９９／１以下となるように（ａ）成分と（ｃ）成分を混合する工程
（ａ）成分：（Ｍ）下記一般式（Ｉ）で示される化合物、（Ｄ）下記一般式（II）で示される化合物、及び（Ｔ）下記一般式（III）で示される化合物
【００１３】
【化２】
2017066569.tif 000003
【００１４】
〔式中、Ｒ１は炭素数１１以上２３以下の直鎖又は分岐鎖の飽和又は不飽和炭化水素基を示す。Ｒ２はＨＯ−（ＣｐＨ２ｐＯ）ｒＣｑＨ２ｑ−で示される基を示す。ｐ及びｑは２又は３の数であり、ｒは０以上１．５以下の数である。Ｒ3は炭素数１以上３以下の炭化水素基を示す。同一分子内にＲ１、Ｒ２、ｐ、ｑ、ｒが複数存在する場合、それらは同一でも異なっていてもよい。Ｘ−は陰イオン基を示す。〕
（ｂ）成分：３級アミン化合物
（ｃ）成分：非イオン界面活性剤
【発明の効果】
【００１５】
本発明によれば、生物分解性に優れた柔軟基剤を用いた液体柔軟剤組成物に関し、柔軟性能を従来以上に高めることができ、低粘度及び分散安定性に優れる液体柔軟剤組成物及びその製造方法を提供することができる。
【発明を実施するための形態】
【００１６】
＜（ａ）成分＞
本発明の液体柔軟剤組成物は、（ａ）成分として、（Ｍ）前記一般式（Ｉ）で示される化合物、（Ｄ）前記一般式（II）で示される化合物、及び（Ｔ）前記一般式（III）で示される化合物を、所定の質量比で含有する。（Ｍ）は、炭素数２又は３のアルキレンオキシドがヒドロキシアルキル基１モルに対して１．５モル以下の割合で付加してもよい、ヒドロキシアルキル基の炭素数が２又は３のトリアルカノールアミン（以下、トリ（ＡＯ）アルカノールアミンともいう）、好ましくはヒドロキシアルキル基の炭素数が２又は３のトリアルカノールアミン、より好ましくはトリエタノールアミンのモノ脂肪酸エステル体の４級化物である。（Ｄ）は、前記トリ（ＡＯ）アルカノールアミン、好ましくはヒドロキシアルキル基の炭素数が２又は３のトリアルカノールアミン、より好ましくはトリエタノールアミンのジ脂肪酸エステル体の４級化物である。（Ｔ）は、前記トリ（ＡＯ）アルカノールアミン、好ましくはヒドロキシアルキル基の炭素数が２又は３のトリアルカノールアミン、より好ましくはトリエタノールアミンのトリ脂肪酸エステル体の４級化物である。
本発明でいう、炭素数２又は３のアルキレンオキシドをヒドロキシ基１モルに対して１．５モル以下、好ましくは１．２モル以下、より好ましくは１．０以下の割合で付加してもよい、ヒドロキシアルキル基の炭素数が２又は３のトリアルカノールアミン、すなわちトリ（ＡＯ）アルカノールアミンは、好ましくはヒドロキシアルキル基の炭素数が２又は３のトリアルカノールアミン、より好ましくはトリエタノールアミンである。以下、同様とする。
【００１７】
一般式（Ｉ）、（II）及び（III）において、Ｒ１は、それぞれ独立に、炭素数１１以上２３以下の直鎖又は分岐鎖の飽和又は不飽和炭化水素基であり、経済性の観点から、好ましくは炭素数１３以上、より好ましくは１５以上、そして、好ましくは２１以下、より好ましくは１７以下の直鎖又は分岐鎖の飽和又は不飽和炭化水素基である。
【００１８】
一般式（Ｉ）、（II）及び（III）において、それぞれ独立に、Ｒ２はＨＯ−（ＣｐＨ２ｐＯ）ｒ−ＣｑＨ２ｑ−で示される基を示す。ｐ及びｑは２又は３の数であり、ｒは０以上１．５以下の数であり、安定性の観点から、好ましくはｐが３の数、ｑが２の数、及びｒが０以上１．２以下の数であるか、或いはｑが３の数及びｒが０の数であり、経済性の観点から、好ましくはｑが２の数、ｒが０の数である。Ｒ3は炭素数１以上３以下の炭化水素基であり、生成物の匂い及び４級化の容易性の観点からメチル基又はエチル基、より好ましくはメチル基である。
【００１９】
一般式（Ｉ）、（II）及び（III）において、それぞれ独立に、Ｘ−は陰イオン基であり、陰イオンは、３級アミンを４級アンモニウム塩化する際に用いるアルキル化剤に依るものであり、特に制限されるものではないが、Ｃｌ−、Ｂｒ−、Ｉ−、ＣＨ３ＳＯ４−、などのアニオンが挙げられ、匂いの観点から、好ましくはＣｌ−、ＣＨ３ＳＯ４−であり、より好ましくはＣＨ３ＳＯ４−である。アルキル化剤としては、塩化メチル、塩化エチル、臭化メチル、ヨウ化メチルなどのハロゲン化アルキル、ジメチル硫酸、ジエチル硫酸、ジ−ｎ−プロピル硫酸などのアルキル硫酸などの一般的なアルキル化剤が挙げられ、経済性の観点から、好ましくはジメチル硫酸、ジエチル硫酸であり、より好ましくはジメチル硫酸である。
【００２０】
一般式（Ｉ）、（II）及び（III）において、上記規定で示される化合物のうち、さらにより好ましい化合物は、Ｒ１が、炭素数１３以上１７以下の直鎖アルキル基又は直鎖アルキレン基であり、Ｒ２がＨＯ−（ＣｐＨ２ｐＯ）ｒＣｑＨ２ｑ−で示される基であって、ｑが２の数、ｒが０の数であり、Ｒ３がメチル基であり、及びＸ−がＣｌ−又はＣＨ３ＳＯ４−である、４級アンモニウム塩である。
【００２１】
（ａ）成分において、（Ｍ）／（Ｔ）の質量比は、柔軟性能と分散性の両立の観点から、２０／１００以上、好ましくは２５／１００以上、より好ましくは３０／１００以上、そして、同様の観点から、１６０／１００以下、好ましくは１４０／１００以下、より好ましくは１２０／１００以下である。
【００２２】
（ａ）成分において、（Ｄ）／（Ｔ）の質量比は、柔軟性能と分散性の両立の観点から、５０／１００以上、好ましくは８０／１００以上、より好ましくは９５／１００以上、そして、同様の観点から、２８０／１００以下、好ましくは２５０／１００以下、より好ましくは２００／１００以下である。なお前記（Ｄ）／（Ｔ）の質量比の規定は、（ａ）成分濃度が高い場合であって、柔軟剤組成物の極低温状況下での凍結状態から回復した際の粘度の増加やゲル化抑制の観点（凍結回復性という場合もある）から好ましい場合がある。
【００２３】
本発明の（ａ）成分を構成する（Ｍ）、（Ｄ）及び（Ｔ）は、前記トリ（ＡＯ）アルカノールアミン、好ましくはヒドロキシアルキル基の炭素数が２又は３のトリアルカノールアミン、より好ましくはトリエタノールアミンと植物もしくは動物油脂由来の脂肪酸とを脱水縮合反応すること（以下、脱水エステル化法と言う場合もある）、あるいは前記トリ（ＡＯ）アルカノールアミン、好ましくはヒドロキシアルキル基の炭素数が２又は３のトリアルカノールアミン、より好ましくはトリエタノールアミンと植物もしくは動物油脂由来の脂肪酸の低級アルコールエステルとをエステル交換すること（以下、エステル交換法と言う場合もある）により、エステル化度の異なるアミン化合物を得、それらアミン化合物をジメチル硫酸又は塩化メチルなどのアルキル化剤で４級アンモニウム塩化することで得ることができる。
【００２４】
エステル交換法においては、反応温度は、好ましくは５０℃以上、より好ましくは１００℃以上、そして、好ましくは１５０℃以下である。反応は、生成する低級アルコールを除去しながら行うことが好ましい。反応促進のために水酸化ナトリウム、水酸化カリウムなどの無機アルカリや、メチラート、エチラートなどのアルコキシ触媒を用いることも可能である。反応の進行はガスクロマトグラフィーなどを用いて脂肪酸低級アルキルエステルの量を直接定量することが好適であり、未反応脂肪酸低級アルキルエステルが仕込みの脂肪酸低級アルキルエステルに対してガスクロマトグラフィーチャート上で１５面積％以下、特に１０面積％以下で反応を終了させることが好ましい。
【００２５】
脱水エステル化法においては、エステル化反応温度を１４０℃以上２３０℃以下で縮合水を除去しながら反応させることが好ましい。反応を促進させる目的から通常のエステル化触媒を用いても差し支えなく、例えば硫酸、燐酸などの無機酸、酸化錫、酸化亜鉛などの無機酸化物、テトラプロポキシチタンなどのアルコラートなどを選択することができる。反応の進行はＪＩＳ  Ｋ  ００７０；１９９２に記載の方法で酸価（ＡＶ）を測定することで確認を行い、好適にはＡＶが１５ｍｇＫＯＨ／ｇ以下、好ましくは１０ｍｇＫＯＨ／ｇ以下となった時、エステル化反応を終了させる。
【００２６】
次に、このようにして得られたエステル化合物の４級アンモニウム塩化を行うが、４級アンモニウム塩化に用いられるアルキル化剤としては、メチルクロリド、ジメチル硫酸、ジエチル硫酸等が好適である。例えばアルキル化剤として、メチルクロリドを用いる場合、溶媒を使用する場合はエタノールやイソプロパノールなどの溶媒を、エステル化合物に対して１０質量％以上５０質量％以下程度混合した溶液をチタン製のオートクレーブなどの加圧反応器に仕込み、密封下３０℃以上１２０℃以下の反応温度でメチルクロリドを圧入させて反応させる。このときメチルクロリドの一部が分解し塩酸が発生する場合があるため、アルカリ剤を少量加えることで反応が効率よく進むため好適である。メチルクロリドとエステル化合物とのモル比は、エステル化合物のアミノ基１当量に対してメチルクロリドを０．９５倍当量以上、１.０倍当量以下用いることが好適である。
【００２７】
アルキル化剤としてジメチル硫酸、ジエチル硫酸を用い、且つ溶媒を使用する場合、エタノールやイソプロパノールなどの溶媒をエステル化合物に対して１０質量％以上５０質量％以下程度混合した溶液を４０℃以上１００℃以下に加熱混合し、ジメチル硫酸及び／又はジエチル硫酸を滴下して行われる。ジメチル硫酸及び／又はジエチル硫酸とエステル化合物とのモル比は、エステル化合物のアミノ基１当量に対してジメチル硫酸及び／又はジエチル硫酸を好ましくは０．９倍当量以上１．５倍当量以下、より好ましくは０．９５倍当量以上1.０倍当量以下用いる。４級アンモニウム塩化後の４級アンモニウム塩混合物の全アミン価は、１ｍｇＫＯＨ／ｇ以上５ｍｇＫＯＨ／ｇ以下となる事が好ましい。
（ａ）成分を調製する際の４級アンモニウム塩化方法は、ジメチル硫酸及びジエチル硫酸から選ばれる１種以上のアルキル化剤を用いる事がより好ましい。
【００２８】
未反応の脂肪酸やその他不純物は、本発明の効果を損なわない範囲及び生成や製法上の経済的な背景を考慮して、本発明の液体柔軟剤組成物中に含有してもよい。
（ａ）成分は、酸価１０ｍｇＫＯＨ／ｇ以下であることが好ましい。
【００２９】
背景技術で示したように、（ａ）成分におけるモノ体、ジ体、及びトリ体の比率を規定した柔軟剤に関する発明は既に数件報告されているが、アルカノールアミンとの反応に用いる脂肪酸又は脂肪酸低級アルキルエステルの割合でその配合比率は変動する。つまり脂肪酸の割合をアルカノールアミンのヒドロキシ基のモル数に近い比率ないし該モル数よりも多いモル比で反応させる場合、トリ体の比率を増加させることができるが、一方でモノ体の比率は低下する。モノ体を残す事を考える場合、脂肪酸の反応モル比を下げればよいが、その場合はトリエステル体の比率が低下する。従って本発明における特定の（Ｍ）、（Ｄ）及び（Ｔ）の比率を有する（ａ）成分を得るために、より具体的な方法は、製法の収率や効率を考えると、アルカノールアミンと脂肪酸の反応モル比が異なった製法で製造した２種以上の４級アンモニウム塩の混合物を混合して目的の（ａ）成分を得ることである。
【００３０】
本発明の（ａ）成分を得る方法として、前記トリ（ＡＯ）アルカノールアミンと脂肪酸とを、トリ（ＡＯ）アルカノールアミンに対する脂肪酸の反応モル比１．２以上２．１以下でエステル化反応させ、反応物を４級アンモニウム塩化することによって得られたトリ（ＡＯ）アルカノールアミン脂肪酸エステルの４級アンモニウム塩（ａ−１）〔以下、４級アンモニウム塩（ａ−１）という〕、及び前記トリ（ＡＯ）アルカノールアミンと脂肪酸とを、トリ（ＡＯ）アルカノールアミンに対する脂肪酸の反応モル比２．１超３．０以下でエステル化反応させ、反応物を４級アンモニウム塩化することによって得られたトリ（ＡＯ）アルカノールアミン脂肪酸エステルの４級アンモニウム塩（ａ−２）〔以下、４級アンモニウム塩（ａ−２）という〕を混合する方法〔以下、方法１という〕が挙げられる。
【００３１】
方法１では、４級アンモニウム塩（ａ−１）を得る過程でのエステル化反応における、トリ（ＡＯ）アルカノールアミンに対する脂肪酸の反応モル比は、分散性の観点から、好ましくは１．３以上、より好ましくは１．４以上、そして、好ましくは１．９以下、より好ましくは１．８以下である。
また、方法１では、４級アンモニウム塩（ａ−２）を得る過程でのエステル化反応における、トリ（ＡＯ）アルカノールアミンに対する脂肪酸の反応モル比は、柔軟性能の観点から、好ましくは２．３以上、より好ましくは２．５以上、そして、好ましくは３．０以下、より好ましくは２．９以下である。
【００３２】
方法１で用いる４級アンモニウム塩（ａ−１）は、トリ（ＡＯ）アルカノールアミンと脂肪酸とのエステル化物にアルキル化剤を反応させて、４級アンモニウム塩化して調製する。アルキル化剤の反応モル比は、トリ（ＡＯ）アルカノールアミン１.０モルに対して、好ましくは０．９モル以上、より好ましくは０．９５モル以上、そして、好ましくは１．５モル以下、より好ましくは１.０モル以下である。
同様に、方法１で用いる４級アンモニウム塩（ａ−２）は、トリ（ＡＯ）アルカノールアミンと脂肪酸とのエステル化物にアルキル化剤を反応させて、４級アンモニウム塩化して調製する。アルキル化剤の反応モル比は、トリ（ＡＯ）アルカノールアミン１.０モルに対して、好ましくは０．９モル以上、より好ましくは０．９５モル以上、そして、好ましくは１．５モル以下、より好ましくは１．０モル以下である。
【００３３】
トリ体は４級アンモニウム塩化反応が難しいことから、反応溶媒の条件を変えることや、アルキル化剤の割合を増やすことで本発明の（ａ）成分の特定比率のものを得ることができる。
本発明では、４級アンモニウム塩（ａ−１）の調製は、４級アンモニウム塩化反応を、無溶媒条件下で行うことが好ましい。ここでの無溶媒条件下とは、実質的に無溶媒で反応を行うものであり、実質的とは、不純物として微量混入する場合を除外する意味として使用する。
また、本発明では、４級アンモニウム塩（ａ−２）の調製は、４級アンモニウム塩化反応を、溶媒存在下で行うことが好ましい。溶媒はエタノール、イソプロパノール、及びエチレングリコールから選ばれる１種以上が好ましい。
【００３４】
方法１では、４級アンモニウム塩（ａ−１）と４級アンモニウム塩（ａ−２）を、（ａ）成分における（Ｍ）／（Ｔ）の質量比が２０／１００以上１６０／１００以下、（Ｄ）／（Ｔ）の質量比が５０／１００以上２８０／１００以下となるように混合する。４級アンモニウム塩（ａ−１）と４級アンモニウム塩（ａ−２）の混合は、液体柔軟剤組成物の調製前に行ってもよく、この場合は、他の成分も任意に混合することができる。また、液体柔軟剤組成物を調製する際に、４級アンモニウム塩（ａ−１）と４級アンモニウム塩（ａ−２）を、それぞれ、他の成分と共に混合することもできる。
【００３５】
方法１では、４級アンモニウム塩（ａ−１）及び４級アンモニウム塩（ａ−２）に加えて、更に別の４級アンモニウム塩混合物を配合してもよいが、全４級アンモニウム塩混合物中の４級アンモニウム塩（ａ−１）及び４級アンモニウム塩（ａ−２）の合計質量は、好ましくは７０質量％以上、より好ましくは９０質量％以上、更に好ましくは１００質量％である。
【００３６】
４級アンモニウム塩（ａ−１）と４級アンモニウム塩（ａ−２）は、トリ（ＡＯ）アルカノールアミンに対する脂肪酸の反応モル比が、それぞれ異なる反応によって得られるものであるから、（Ｍ）／（Ｔ）の質量比及び（Ｄ）／（Ｔ）質量比が異なる４級アンモニウム塩の混合物である。
【００３７】
脂肪酸の反応モル比が小さく、エステル化度の低い条件で合成される４級アンモニウム塩（ａ−１）において、（Ｍ）／（Ｔ）の質量比は、分散性の観点から、好ましくは２００／１００以上、より好ましくは２１０／１００以上、更に好ましくは２２０／１００以上、そして、好ましくは２７０／１００以下、より好ましくは２６０／１００以下、更に好ましくは２５０／１００以下である。
また、４級アンモニウム塩（ａ−１）において、（Ｄ）／（Ｔ）の質量比は、分散性の観点から、好ましくは３７５／１００以上、より好ましくは３８５／１００以上、更に好ましくは３９５／１００以上、そして好ましくは４４５／１００以下、より好ましくは４３５／１００以下、更に好ましくは４２５／１００以下である。
【００３８】
脂肪酸の反応モル比が大きく、エステル化度の高い条件で合成される４級アンモニウム塩（ａ−２）において、（Ｍ）／（Ｔ）の質量比は、柔軟性能の観点から、好ましくは１／１００以上、そして、好ましくは４０／１００以下、より好ましくは３０／１００以下、更に好ましくは１５／１００以下である。
また、４級アンモニウム塩（ａ−２）において、（Ｄ）／（Ｔ）の質量比は、柔軟性能の観点から、好ましくは３／１００以上、より好ましくは５／１００以上、更に好ましくは１０／１００以上、そして、好ましくは６０／１００以下、より好ましくは５０／１００以下、更に好ましくは４０／１００以下である。
【００３９】
本発明の液体柔軟剤組成物中の（ａ）成分の含有量は、柔軟性能と分散性の観点から、０．５質量％以上、好ましくは１質量％以上、より好ましくは５質量％以上、そして、２５質量％以下、好ましくは２０質量％以下、より好ましくは１５質量％以下である。
【００４０】
＜（ｂ）成分＞
本発明の液体柔軟剤組成物は、（ｂ）成分として、３級アミン化合物を含有する。
（ｂ）成分は、別途調製して配合してもよく、或いは（ａ）成分の合成の際に４級化しきれなかった３級アミン化合物として、（ａ）成分とともに組成物に配合してもよい。例えば、方法１では、４級アンモニウム塩（ａ−１）及び４級アンモニウム塩（ａ−２）は、（ｂ）成分を含む混合物として得ることができる。４級アンモニウム塩（ａ−２）のように（Ｔ）の比率が増えると４級化が進みにくくなるため、原料アミンが残存し、（ｂ）成分の含有量が増加する傾向にある。４級アンモニウム塩（ａ−２）の製造にあたっては、４級化反応を溶媒存在下で行うことで、目的の４級化物を製造し易いだけでなく、（Ｔ）の比率が高まることによる、反応生成物の粘度の増加を低減できるため、好ましい。
【００４１】
（ｂ）成分は、好ましくは（ｂ−１）下記一般式（IV）で示される化合物、（ｂ−２）下記一般式（Ｖ）で示される化合物、（ｂ−３）下記一般式（VI）で示される化合物、及び（ｂ−４）下記一般式（VII）で示される化合物から選ばれる１種以上の３級アミン化合物である。
【００４２】
【化３】
2017066569.tif 000004
【００４３】
〔式中、Ｒ４は炭素数１１以上２３以下の直鎖又は分岐鎖の飽和又は不飽和炭化水素基を示す。Ｒ５はＨＯ−（ＣｐＨ２ｐＯ）ｒＣｑＨ２ｑ−で示される基を示す。ｐ及びｑは２又は３の数であり、ｒは０以上１．５以下の数である。同一分子内にＲ４、Ｒ５、ｐ、ｑ、ｒが複数存在する場合、それらは同一でも異なっていてもよい。〕
【００４４】
一般式（IV）、（Ｖ）及び（VI）において、Ｒ４は、経済性の観点から、それぞれ独立に、炭素数１１以上２３以下の直鎖又は分岐鎖の飽和又は不飽和炭化水素基であり、好ましくは炭素数１３以上、より好ましくは１５以上、そして、好ましくは２１以下、より好ましくは１７以下の直鎖又は分岐鎖の飽和又は不飽和炭化水素基である。
【００４５】
一般式（IV）、（Ｖ）及び（VI）において、それぞれ独立に、Ｒ５はＨＯ−（ＣｐＨ２ｐＯ）ｒＣｑＨ２ｑ−で示される基を示す。ｐ及びｑは２又は３の数であり、ｒは０以上１．５以下の数であり、安定性の観点から、好ましくはｐが３の数、ｑが２の数、及びｒが０以上１．２以下の数であるか、或いはｑが３の数及びｒが０の数であり、経済性の観点から、好ましくはｑが２の数、ｒが０の数である。
【００４６】
本発明の液体柔軟剤組成物は、（ｂ）成分を特定量含有することで、液体柔軟剤組成物の粘度を低減できる。４級アンモニウム塩（ａ−１）及び４級アンモニウム塩（ａ−２）を用いる場合、それぞれが（ｂ）成分を含有することが好ましい。更に、４級アンモニウム塩（ａ−１）及び４級アンモニウム塩（ａ−２）が、（ｂ）成分を、混合後の組成物中の（ｂ）成分の含有量が本発明で規定する所定範囲となる量で含んでいれば、別途（ｂ）成分を添加する必要が無く、製造上、より好ましい。
製造時の反応時間や反応温度等の経済性を考慮した上で、４級アンモニウム塩（ａ−２）の合成時に、エタノール、イソプロパノールやエチレングリコール等の有機溶媒の存在下、好ましくはエタノール中でエステル化反応を行ない、その後、有機溶媒の存在下でアルキル化剤を用いて４級化することで効率よくトリ体を多く合成し、且つ（ｂ）成分を得ることができる。
また４級アンモニウム塩（ａ−１）の合成では、無溶媒下でトリエタノールアミンと脂肪酸とのエステル化反応を行い、その後、無溶媒下でアルキル化剤を用いて４級化することが好ましい。
【００４７】
本発明の液体柔軟剤組成物中の（ｂ）成分の含有量は、組成物の粘度制御と柔軟性能の観点から１質量％以上、好ましくは１．１質量％以上、より好ましくは１．３質量％以上、そして、生成物の匂いの観点から、３質量％以下、好ましくは２．５質量％以下、より好ましくは２．３質量％以下である。
【００４８】
＜（ｃ）成分＞
本発明の液体柔軟剤組成物は、（ｃ）成分として、非イオン界面活性剤を含有する。
非イオン界面活性剤としては、炭素数８以上２０以下の鎖式炭化水素を１つ以上と、ヒドロキシ基、オキシエチレン基が連なったポリエチレンオキシ鎖、又はオキシエチレン基とオキシプロピレン基が連なったポリアルキレンオキシ鎖などの非イオン性の親水性基とを有する化合物が挙げられる。
（ｃ）成分としては、例えば、ポリオキシエチレンアルキルエーテル、ポリオキシエチレンポリオキシプロピレンアルキルエーテル、脂肪酸グリセリンエステルエチレンオキシド付加物、グルコースの平均付加モル数が１以上４以下であるアルキルポリグルコシド、アルキルジエタノールアミンのエチレンオキシド付加物、ポリエチレングリコール脂肪酸エステル低級アルキル（炭素数１以上３以下）エーテルなどが挙げられる。
【００４９】
また、（ｃ）成分としては、炭素数が３以上、好ましくは４以上、そして６以下であり、及び水酸基の数が３以上、好ましくは４以上、そして６以下である多価アルコールと炭素数１２以上、好ましくは１４以上、より好ましくは１６以上、そして２２以下、好ましくは２０以下の脂肪酸とのエステル化合物が挙げられる。具体的には、前記多価アルコールは、グリセリン、ペンタエリスリトール、ソルビタン、ソルビトール、キシリトール及びマンニトールから選ばれる１種以上が好ましく、更にはペンタエリスリトール及びソルビタンから選ばれる１種以上がより好ましい。脂肪酸は、ラウリン酸、ミリスチン酸、ステアリン酸、パルミチン酸、オレイン酸、エライジン酸、リノール酸、リレイン酸、パーム油脂肪酸、硬化パーム油脂肪酸、牛脂脂肪酸及び硬化牛脂脂肪酸から選ばれる１種以上が挙げられる。これらの中でも、ステアリン酸、硬化パーム油脂肪酸、硬化牛脂脂肪酸から選ばれる１種以上がより好ましい。本発明の（ｃ）成分として、ペンタエリスリトールと炭素数１６以上２２以下の脂肪酸とのエステル化合物、及びソルビタンと炭素数１６以上２２以下の脂肪酸とのエステル化合物から選ばれる非イオン界面活性剤が挙げられる。
【００５０】
好ましい（ｃ）成分として、炭素数８以上、好ましくは１０以上、より好ましくは１２以上、そして２０以下、好ましくは１８以下、より好ましくは１４以下の鎖式炭化水素基、好ましくは直鎖アルキル基を有し、エチレンオキシ基の平均付加モル数が１０以上、好ましくは２０以上、そして１００以下、好ましくは５０以下の数である非イオン界面活性剤、更に該非イオン界面活性剤において、オキシエチレンの酸素原子に結合した前記鎖式炭化水素基の炭素原子が１級又は２級の炭素原子である非イオン界面活性剤が挙げられる。
【００５１】
より好ましい（ｃ）成分として、下記一般式（VIII）で表される非イオン界面活性剤が挙げられる。
Ｒ６−Ｂ−［（Ｒ７−Ｏ）ｓ−Ｈ］ｔ            （VIII）
〔式中、Ｒ６は炭素数１０以上、好ましくは１２以上、そして１８以下、好ましくは１４以下のアルキル基又はアルケニル基である。Ｒ７は炭素数２又は３のアルキレン基であり、好ましくはエチレン基である。ｓは平均付加モル数を示し、１０以上、好ましくは２０以上、そして１００以下、好ましくは５０以下の数である。Ｂは−Ｏ−、−ＣＯＮＨ−、−Ｎ＜、又は−ＣＯＮ＜であり、好ましくは−Ｏ−である。ｔは、Ｂが−Ｏ−又は−ＣＯＮＨ−の場合、ｔは１の数であり、Ｂが−Ｎ＜又は−ＣＯＮ＜の場合、ｔは２の数である。〕
【００５２】
一般式（VIII）で表される非イオン界面活性剤のより具体的な例としては下記一般式（IX）で表される非イオン界面活性剤及び一般式（Ｘ）で表される非イオン界面活性剤から選ばれる１種以上の非イオン界面活性剤が挙げられる。
Ｒ６−Ｏ−（Ｃ２Ｈ４Ｏ）ｕ−Ｈ      （IX）
〔式中、Ｒ６は前記の意味を示す。ｕは平均付加モル数を示し、１０以上、好ましくは２０以上、そして１００以下、好ましくは５０以下の数である。〕
Ｒ６−Ｏ−［（Ｃ２Ｈ４Ｏ）ｖ・（Ｃ３Ｈ６Ｏ）ｗ］−Ｈ      （Ｘ）
〔式中、Ｒ６は前記の意味を示す。ｖ及びｗは平均付加モル数を示し、それぞれ独立に５以上、そして５０以下、好ましくは４０以下の数である。ｖ＋ｗは１０以上、好ましくは２０以上、そして１００以下、好ましくは５０以下の数であり、またｗ＜ｖである。Ｃ２Ｈ４ＯとＣ３Ｈ６Ｏは、ランダム結合及びブロック結合のいずれでもよい。〕
【００５３】
（ｃ）成分としては、一般式（IX）で表される非イオン界面活性剤が好ましい。一般式（IX）中、Ｒ６が炭素数１２以上１４以下の直鎖アルキル基であって、酸素原子と結合するＲ６の炭素原子が第１級炭素原子又は第２級炭素原子であり、ｕが２０以上５０以下の数である非イオン界面活性剤（以下、（ｃ１）成分という場合もある）がより好ましい。
【００５４】
本発明の液体柔軟剤組成物中の（ｃ）成分の含有量は、溶液の分散性を良好に保つ観点から、０．０５質量％以上、好ましくは０．３質量％以上、より好ましくは０．５質量％以上、そして、経済的観点から、１０質量％以下、好ましくは５質量％以下、より好ましくは３質量％以下である。
【００５５】
（ａ）成分と（ｃ）成分の質量比（ａ）／（ｃ）は、溶液の分散性を良好に保ち、かつ優れた柔軟性能を実現する観点から、７０／３０以上、好ましくは８０／２０以上、より好ましくは８５／１５以上、そして、９９／１以下、好ましくは５０／１以下、より好ましくは３５／１以下である。
また（ｃ）成分が（ｃ１）の場合、（ａ）成分と（ｃ１）成分の質量比（ａ）／（ｃ１）は、溶液の分散性を良好に保ち、かつ優れた柔軟性能を実現する観点から、７０／３０以上、好ましくは８０／２０以上、より好ましくは８５／１５以上、そして、９９／１以下、好ましくは５０／１以下、より好ましくは３５／１以下である。
【００５６】
＜水＞
本発明の液体柔軟剤組成物は、水を含有する。組成物の残部が水である。水は（ａ）成分や（ｃ）成分の分散体又は溶媒として働く。水は脱イオン水を、次亜塩素酸ナトリウムを添加することにより殺菌したものを用いることがましい。
【００５７】
＜その他の成分＞
本発明の液体柔軟剤組成物は、下記（ｄ）成分を含有することができる。
また、本発明の液体柔軟剤組成物は、下記（ｅ）成分を含有することができる。
また、本発明の液体柔軟剤組成物は、下記（ｄ）成分及び下記（ｅ）成分から選ばれる１種以上を含有することが好ましい。
（ｄ）成分：水溶性有機溶剤
（ｅ）成分：無機又は有機の電解質
【００５８】
本発明の液体柔軟剤組成物は、分散性を向上させるために、（ｄ）成分として、水溶性有機溶剤を含有することが好ましい。ここで、有機溶剤について水溶性とは、２０℃の脱イオン水１００ｇに対して、７７ｇ以上溶解することを言う。
（ｄ）成分としては、例えばエチレングリコール、グリセリン、プロピレングリコール、ジプロピレングリコール、エタノール、メタノール、プロピルアルコール、ブチルアルコールから選ばれる１種以上の水溶性溶剤が挙げられる。この中でも、エタノール及びエチレングリコールから選ばれる１種以上の水溶性溶剤が好ましい。
【００５９】
本発明の液体柔軟剤組成物は、（ｄ）成分の水溶性有機溶剤を、液体柔軟剤組成物の分散性向上の観点から、好ましくは０．１質量％以上、より好ましくは１質量％以上、そして、経済的観点から、好ましくは１５質量％以下、より好ましくは６質量％以下含有する。
（ｄ）成分は、（ａ）成分の製造工程で（ａ）成分を含む混合物中に取り込まれることがあり、そのような混合物を用いることにより、組成物中に配合することができる。また（ｄ）成分は前記した凍結回復性にも有効である。
【００６０】
本発明の液体柔軟剤組成物は、（ｅ）成分として、無機又は有機の電解質を含有することが好ましい。
（ｅ）成分のうち、無機の電解質としては、アルカリ金属又はアルカリ土類金属のハロゲン化物、アルカリ金属又はアルカリ土類金属の硫酸塩、及びアルカリ金属又はアルカリ土類金属のリン酸塩から選ばれる１種以上の電解質が挙げられる。
（ｅ）成分のうち、有機の電解質としては、炭素数１以上３以下である有機物の電解質が挙げられ、好適な具体例としては、酢酸、乳酸又はグリコール酸のアルカリ金属塩、アルカリ土類金属塩又はアンモニウム塩が挙げられる。
（ｅ）成分は、無機の電解質が好ましく、塩化ナトリウム、塩化マグネシウム、塩化カリウム、塩化カルシウム、塩化アンモニウム、硫酸ナトリウム、硫酸マグネシウム、硝酸マグネシウム、及び硝酸ナトリウムから選ばれる１種以上の化合物がより好ましく、塩化カルシウム、及び塩化マグネシウムから選ばれる１種以上の電解質が更に好ましい。
【００６１】
本発明の液体柔軟剤組成物中の（ｅ）成分の含有量は、組成物の粘度を安定化させ、低く抑える観点から、好ましくは０．０１質量％以上、より好ましくは０．０３質量％以上、更に好ましくは０．０５質量％以上、そして、好ましくは３質量％以下、より好ましくは２質量％以下、更に好ましくは１質量％以下である。
【００６２】
本発明の液体柔軟剤組成物は、前記（ａ）成分〜（ｅ）成分、及び水以外にも、柔軟性能を向上させるために、高級アルコール、高級脂肪酸、シリコーン化合物を、保存安定化剤として、ポリオール、さらにはそれらのエチレンオキサイド、プロピレンオキサイド付加物、更にはｐＨ調整剤、キレート剤、消泡剤、セルロース誘導体、シリコーン化合物、本発明の（ａ）成分以外の陽イオン界面活性剤、特には下記一般式（XI）、（XII）及び（XIII）で示されるモノ長鎖アルキルカチオン等やArch Chemicals社から商標名Proxel BDN（登録商標）やProxel IB(登録商標)等の防腐剤、保存経過時の溶液の変色抑制剤としてクエン酸、ＥＤＴＡやＭＧＤＡ等のキレート剤等を必要に応じて添加することができる。
【００６３】
【化４】
2017066569.tif 000005
【００６４】
〔式中、Ｒ８は炭素数８以上１２以下の炭化水素基であり、Ｒ９は炭素数１以上４以下のアルキル基、及び炭素数２以上４以下のヒドロキシアルキル基から選ばれる基であり、Ｙ−は陰イオン基である。〕
【００６５】
【化５】
2017066569.tif 000006
【００６６】
〔式中、Ｒ１０及びＲ１４は、それぞれ独立に炭素数５以上１９以下の炭化水素基であり、Ｒ１２は、それぞれ独立に炭素数１以上３以下のアルキル基又はヒドロキシアルキル基である。Ｔは、−ＣＯＯ−、−ＯＣＯ−、−ＣＯＮＨ−、又は−（Ｃ６Ｈ６）−である。Ｒ１１は炭素数１以上６以下の炭化水素基又は−（Ｏ−Ｒ１５）ｎ−である。ここでＲ１５はエチレン基もしくはプロピレン基であり、ｎは平均付加モル数を示し、１以上、１０以下の数である。Ｒ１３は炭素数１以上３以下の二価の炭化水素基である。ｚは０又は１の数である。Ｙ−は陰イオン基である。〕
【００６７】
また嗜好性の観点から、香料、顔料、染料、紫外線吸収剤、抗菌剤等の機能化剤を添加することもできる。
近年は、製品の使用感を実感させるために、液体柔軟剤組成物に香料を配合することが好ましく、一般に柔軟組成物に使用されている種々の天然あるいは合成香料、例えば、脂肪酸エーテル、芳香族エーテル等のエーテル類、脂肪酸オキサイド、テルペン類のオキサイド等のオキサイド類、アセタール類、ケタール類、フェノール類、フェノールエーテル類、脂肪酸、テルペン系カルボン酸、水素化芳香族カルボン酸、芳香族カルボン酸等の酸類、酸アマイド類、ニトロムスク類、ニトリル、アミン、ピリジン類、キノリン類、ピロール、インドール等の含窒素化合物等の合成香料及び動物、植物からの天然香料、天然香料及び／又は合成香料を含む調合香料の１種以上を混合して使用することができる。例えば、１９６９年化学工業日報社刊、印藤元一著「合成香料  化学と商品知識」、１９６９年MONTCLAIR, N. J.刊STEFFEN ARCTANDER 著“Perfume and Flavor Chemicals”等に記載の香料が使用出来る。
また、他にも香料前駆体として特開２０１０−２０９４９４号公報に示されるようなケイ酸エステル、及びメラミン樹脂やポリアクリル樹脂等のポリマーで構成される殻で香料成分を封じ込めた柔軟剤に使用することが一般的なマイクロカプセル香料等も使用することも出来る。
【００６８】
本発明の液体柔軟剤組成物の粘度は、使用勝手の観点から、３０℃で、好ましくは５ｍＰａ・ｓ以上、より好ましくは１０ｍＰａ・ｓ以上、そして、好ましくは１００ｍＰａ・ｓ以下、より好ましくは７０ｍＰａ・ｓ未満である。（ｄ）成分や（ｅ）成分、その他の成分により、このような範囲に調整するのが望ましい。組成物の粘度は、Ｂ型粘度計を用いて、対象粘度に合ったＮｏ．１〜Ｎｏ．３のローターの何れかを用い、６０ｒｐｍ／ｍｉｎで、測定開始から１分後の指示値である。液体柔軟剤組成物は３０±１℃に調温して測定する。条件を満たすローターが複数存在する場合、番号の小さい方のローターを用いた時の数値を採用する。低粘度であることは（ａ）成分濃度が高い、例えば１５質量％を超えるような濃縮タイプの柔軟剤組成物を用いる場合、その使用量は少量になるため、キャップを用いて計量するような場合に有効である。
【００６９】
本発明の液体柔軟剤組成物の３０℃でのｐＨは、保存安定性の観点から、好ましくは２以上、より好ましくは２．５以上、更に好ましくは３以上、そして、好ましくは６以下、より好ましくは５以下、更に好ましくは４．５以下である。ｐＨは、ＪＩＳＫ ３３６２；２００８の項目８．３にしたがって３０℃において測定した値である。ｐＨはクエン酸等の有機酸の他、塩酸等の酸剤及び水酸化ナトリウム等のアルカリ剤及びそれらの水溶液を用いて調整してもよい。
【００７０】
本発明の液体柔軟剤組成物は、繊維製品用として好適である。繊維製品としては、衣料、タオル、枕カバー、シーツなどが挙げられる。
【００７１】
＜液体柔軟剤組成物の製造方法＞
本発明は、下記工程１及び工程２を含む、液体柔軟剤組成物の製造方法に関する。
工程１：炭素数２又は３のアルキレンオキシドがヒドロキシアルキル基１モルに対して１．５モル以下の割合で付加してもよい、ヒドロキシアルキル基の炭素数が２又は３のトリアルカノールアミン（以下、トリ（ＡＯ）アルカノールアミンともいう）と脂肪酸とを、トリ（ＡＯ）アルカノールアミンに対する脂肪酸の反応モル比１．２以上２．1以下でエステル化反応させ、反応物を４級アンモニウム塩化することによって得られたトリ（ＡＯ）アルカノールアミン脂肪酸エステルの４級アンモニウム塩（ａ−１）、及び前記トリ（ＡＯ）アルカノールアミンと脂肪酸とを、トリ（ＡＯ）アルカノールアミンに対する脂肪酸の反応モル比２．１超３．０以下でエステル化反応させ、反応物を４級アンモニウム塩化することによって得られたトリ（ＡＯ）アルカノールアミン脂肪酸エステルの４級アンモニウム塩（ａ−２）を混合して、下記（ａ）成分を含む混合物を得る工程であって、
（Ｍ）／（Ｔ）の質量比が２０／１００以上１６０／１００以下、及び（Ｄ）／（Ｔ）の質量比が５０／１００以上２８０／１００以下となるように、（ａ−１）と（ａ−２）を混合する工程
工程２：工程１で得られた（ａ）成分、下記（ｂ）成分、下記（ｃ）成分、及び水を混合して、（ａ）成分を０．５質量％以上２５質量％以下、（ｂ）成分を１質量％以上３質量％以下、（ｃ）成分を０．０５質量％以上１０質量％以下含有する液体柔軟剤組成物を得る工程であって、
（ａ）成分と（ｃ）成分の質量比（ａ）／（ｃ）が７０／３０以上９９／１以下となるように（ａ）成分と（ｃ）成分を混合する工程
（ａ）成分：（Ｍ）下記一般式（Ｉ）で示される化合物、（Ｄ）下記一般式（II）で示される化合物、及び（Ｔ）下記一般式（III）で示される化合物
【００７２】
【化６】
2017066569.tif 000007
【００７３】
〔式中、Ｒ１は炭素数１１以上２３以下の直鎖又は分岐鎖の飽和又は不飽和炭化水素基を示す。Ｒ２はＨＯ−（ＣｐＨ２ｐＯ）ｒＣｑＨ２ｑ−で示される基を示す。ｐ及びｑは２又は３の数であり、ｒは０以上１．５以下の数である。Ｒ3は炭素数１以上３以下の炭化水素基を示す。同一分子内にＲ１、Ｒ２、ｐ、ｑ、ｒが複数存在する場合、それらは同一でも異なっていてもよい。Ｘ−は陰イオン基を示す。〕
（ｂ）成分：３級アミン化合物
（ｃ）成分：非イオン界面活性剤
【００７４】
この製造方法には、本発明の液体柔軟剤組成物で述べた事項を、適宜適用することができる。（ａ）成分、（ｂ）成分、及び（ｃ）成分の好ましい態様も本発明の液体柔軟剤組成物と同じである。
【００７５】
工程１は、前記した方法１に相当する。すなわち、４級アンモニウム塩（ａ−１）と４級アンモニウム塩（ａ−２）とを混合して（ａ）成分を得る工程である。
【００７６】
４級アンモニウム塩（ａ−１）を得る過程でのエステル化反応における、トリ（ＡＯ）アルカノールアミンに対する脂肪酸の反応モル比は、分散性の観点から、好ましくは１．３以上、より好ましくは１．４以上、そして、好ましくは１．９以下、より好ましくは１．８以下である。また、４級アンモニウム塩（ａ−２）を得る過程でのエステル化反応における、トリ（ＡＯ）アルカノールアミンに対する脂肪酸の反応モル比は、柔軟性能の観点から、好ましくは２．３以上、より好ましくは２．５以上、そして、好ましくは２．９以下である。
【００７７】
４級アンモニウム塩（ａ−１）を調製する際の３級アミンから４級アンモニウム塩にするためのアルキル化剤の割合は経済性と生成物の匂いの観点から、トリ（ＡＯ）アルカノールアミン１モルに対して、好ましくは０．９モル以上、より好ましくは０．９５モル以上、そして、好ましくは１．５モル以下、より好ましくは１．０モル以下である。
４級アンモニウム塩（ａ−２）を調製する際の３級アミンから４級アンモニウム塩にするためのアルキル化剤の割合は、経済性と生成物の匂いの観点から、トリ（ＡＯ）アルカノールアミン１モルに対して、好ましくは０．９モル以上、より好ましくは０．９５モル以上、そして、好ましくは１．５モル以下、より好ましくは１．０モル以下である。
【００７８】
工程１では、４級アンモニウム塩（ａ−１）と４級アンモニウム塩（ａ−２）を、（ａ）成分における（Ｍ）／（Ｔ）の質量比が２０／１００以上１６０／１００以下、及び（Ｄ）／（Ｔ）の質量比が５０／１００以上２８０／１００以下となるように混合する。４級アンモニウム塩（ａ−１）と４級アンモニウム塩（ａ−２）の混合は、液体柔軟剤組成物の調製前に行ってもよく、この場合は、他の成分も任意に混合することができる。また、液体柔軟剤組成物を調製する際に、４級アンモニウム塩（ａ−１）と４級アンモニウム塩（ａ−２）を、それぞれ、他の成分と共に混合することもできる。この場合、（ｂ）成分である３級アミン化合物も同時に混合される。
【００７９】
工程１では、４級アンモニウム塩（ａ−１）及び４級アンモニウム塩（ａ−２）に加えて、更に別の４級アンモニウム塩混合物を配合してもよいが、全４級アンモニウム塩混合物中の４級アンモニウム塩（ａ−１）及び４級アンモニウム塩（ａ−２）の合計質量は、好ましくは７０質量％以上、より好ましくは９０質量％以上、更に好ましくは１００質量％である。
【００８０】
４級アンモニウム塩（ａ−１）と４級アンモニウム塩（ａ−２）は、トリ（ＡＯ）アルカノールアミンに対する脂肪酸の反応モル比が、それぞれ異なる反応によって得られるものであるから、（Ｍ）／（Ｔ）の質量比及び（Ｄ）／（Ｔ）質量比が異なる４級アンモニウム塩の混合物である。
【００８１】
脂肪酸の反応モル比が小さく、エステル化度の低い条件で合成される４級アンモニウム塩（ａ−１）において、（Ｍ）／（Ｔ）の質量比は、分散性の観点から、好ましくは２００／１００以上、より好ましくは２１０／１００以上、更に好ましくは２２０／１００以上、そして、好ましくは２７０／１００以下、より好ましくは２６０／１００以下、更に好ましくは２５０／１００以下である。
また、４級アンモニウム塩（ａ−１）において、（Ｄ）／（Ｔ）の質量比は、分散性の観点から、好ましくは３７５／１００以上、より好ましくは３８５／１００以上、更に好ましくは３９５／１００以上、そして、好ましくは４４５／１００以下、より好ましくは４３５／１００以下、更に好ましくは４２５／１００以下である。
【００８２】
脂肪酸の反応モル比が大きく、エステル化度の高い条件で合成される４級アンモニウム塩（ａ−２）において、（Ｍ）／（Ｔ）の質量比は、柔軟性能の観点から、好ましくは１／１００以上、そして、好ましくは６０／１００以下、より好ましくは４０／１００以下、更に好ましくは３０／１００以下、より更に好ましくは１５／１００以下である。
また、４級アンモニウム塩（ａ−２）において、（Ｄ）／（Ｔ）の質量比は、柔軟性能の観点から、好ましくは３／１００以上、より好ましくは５／１００以上、更に好ましくは１０／１００以上、そして、好ましくは６０／１００以下、より好ましくは５０／１００以下、更に好ましくは４０／１００以下である。
【００８３】
トリ体は４級アンモニウム塩化反応が難しいことから、反応溶媒の条件を変えることや、アルキル化剤の割合を増やすことで本発明の（ａ）成分の特定比率のものを得ることができる。
本発明では、４級アンモニウム塩（ａ−１）の調製は、４級アンモニウム塩化反応を、無溶媒条件下で行うことが好ましい。ここでの無溶媒条件下とは、実質的に無溶媒で反応を行うものであり、実質的とは、不純物として微量混入する場合を除外する意味として使用する。
また、本発明では、４級アンモニウム塩（ａ−２）の調製は、４級アンモニウム塩化反応を、溶媒存在下で行うことが好ましい。溶媒はエタノール、イソプロパノール、及びエチレングリコールから選ばれる１種以上が好ましい。
【００８４】
工程２は、工程１で得られた（ａ）成分、下記（ｂ）成分、（ｃ）成分、及び水を混合して、（ａ）成分を０．５質量％以上２５質量％以下、（ｂ）成分を１質量％以上３質量％以下、（ｃ）成分を０．０５質量％以上１０質量％以下含有する、液体柔軟剤組成物を得る工程であって、（ａ）成分と（ｃ）成分の質量比（ａ）／（ｃ）が７０／３０以上９９／１以下となるように（ａ）成分と（ｃ）成分を混合する工程である。本発明の製造方法は、本発明の液体柔軟剤組成物を製造する方法として好適である。
【実施例】
【００８５】
実施例１〜５及び比較例１〜７で用いた各成分を以下にまとめて示す。
【００８６】
＜（ａ）成分＞
（ａ）成分は、下記の方法で合成した４級アンモニウム塩混合物を表１のように用いて組成物中に配合した。なお、表１中の（ａ）成分の欄には、各４級アンモニウム塩混合物中のモノ体（Ｍ）、ジ体（Ｄ）、及びトリ体（Ｔ）の合計量の質量％を示した。
４級アンモニウム塩混合物の組成は、１Ｈ−ＮＭＲスペクトルにより、各々のカチオンの窒素原子上のメチル基の積分値から求めた相対比とカチオン界面活性剤の分子量を用いｐ−ジニトロベンゼンを内部標準物質とした内部標準法より算出した。また、ＮＭＲ測定は重クロロホルム／重アセトン＝６／４（質量比）で調製した溶液中で測定を行った。
【００８７】
〔４級アンモニウム塩混合物（ａ−１−１）の合成〕
植物を原料としたヨウ素価３５ｇＩ２／１００ｇ、酸価２０７ｍｇＫＯＨ／ｇの脂肪酸と、トリエタノールアミンとを用い、これらを反応モル比１．６５／１（脂肪酸／トリエタノールアミン）で定法に従い脱水縮合反応を行い、エステル化合物を得た。次に、溶媒の不存在下で、この縮合物に対してジメチル硫酸をアミノ基１当量に対し０．９８当量用い、定法に従って４級アンモニウム塩化を行った後、エタノールで希釈することによって、モノ体（Ｍ）、ジ体（Ｄ）、及びトリ体（Ｔ）と、エタノール１２質量％とを含有する４級アンモニウム塩混合物（ａ−１−１）を得た。
得られた４級アンモニウム塩混合物（ａ−１−１）は、（Ｍ）、（Ｄ）、及び（Ｔ）の質量比が、（Ｍ）／（Ｔ）＝２３３／１００、（Ｄ）／（Ｔ）＝４１０／１００であった。ＮＭＲ測定から算出した４級アンモニウム塩混合物（ａ−１−１）中の（Ｍ）、（Ｄ）、及び（Ｔ）の合計量は７３．４質量％であった。また、４級アンモニウム塩混合物（ａ−１−１）は、酸価、アミン価、ＮＭＲ測定から、その他の成分として、未反応の３級アミン、脂肪酸を含有するものであった。
【００８８】
〔４級アンモニウム塩混合物（ａ−２−１）の合成〕
植物を原料としたヨウ素価３５ｇＩ２／１００ｇ、酸価２０７ｍｇＫＯＨ／ｇの脂肪酸と、トリエタノールアミンとを用い、これらを反応モル比３／１（脂肪酸／トリエタノールアミン）で定法に従い脱水縮合反応を行い、エステル化合物を得た。次に、エタノール溶媒の存在下で、この縮合物に対してジメチル硫酸をアミノ基１当量に対し０．９８当量用い、定法に従って４級アンモニウム塩化を行った後、エタノールで希釈することによって、モノ体（Ｍ）、ジ体（Ｄ）、及びトリ体（Ｔ）と、エタノールを１２質量％とを含有する４級アンモニウム塩混合物（ａ−２−１）を得た。
得られた４級アンモニウム塩混合物（ａ−２−１）は、（Ｍ）、（Ｄ）、及び（Ｔ）の質量比が、（Ｍ）／（Ｔ）＝２／１００、（Ｄ）／（Ｔ）＝２６／１００であった。ＮＭＲ測定から算出した４級アンモニウム塩混合物（ａ−２−１）中の（Ｍ）、（Ｄ）、及び（Ｔ）の合計量は６８．０質量％であった。また、４級アンモニウム塩混合物（ａ−２−１）は、酸価、アミン価、ＮＭＲ測定からその他の成分として、未反応の３級アミン、脂肪酸を含有するものであった。
【００８９】
〔４級アンモニウム塩混合物（ａ−２−２）の合成〕
植物を原料としたヨウ素価３５ｇＩ２／１００ｇ、酸価２０７ｍｇＫＯＨ／ｇの脂肪酸と、トリエタノールアミンとを用い、これらを反応モル比３／１（脂肪酸／トリエタノールアミン）で定法に従い脱水縮合反応を行い、エステル化合物を得た。次に、この縮合物に対してジメチル硫酸をアミノ基１当量に対し０．９８当量用い定法に従って４級アンモニウム塩化を行った後、エタノールで希釈することによって、モノ体（Ｍ）、ジ体（Ｄ）、及びトリ体（Ｔ）と、エタノールを１２質量％とを含有する４級アンモニウム塩混合物（ａ−２−２）を得た。
得られた４級アンモニウム塩混合物（ａ−２−２）は、（Ｍ）、（Ｄ）、及び（Ｔ）の質量比が、（Ｍ）／（Ｔ）＝５／１００、（Ｄ）／（Ｔ）＝２４／１００であった。ＮＭＲ測定から算出した４級アンモニウム塩混合物（ａ−２−２）中の（Ｍ）、（Ｄ）、及び（Ｔ）の合計量は７３．０質量％であった。また、４級アンモニウム塩混合物（ａ−２−２）は、酸価、アミン価、ＮＭＲ測定からその他の成分として、未反応の３級アミン、脂肪酸を含有するものであった。
【００９０】
〔４級アンモニウム塩混合物（ａ−２−３）の合成〕
植物を原料としたヨウ素価３５ｇＩ２／１００ｇ、酸価２０７ｍｇＫＯＨ／ｇの脂肪酸と、トリエタノールアミンを用い、これらを反応モル比２．５／１（脂肪酸／トリエタノールアミン）で定法に従い脱水縮合反応を行い、エステル化合物を得た。次に、エタノール溶媒の存在下で、この縮合物に対してジメチル硫酸をアミノ基１当量に対し０．９８当量用い、定法に従って４級アンモニウム塩化を行った後、エタノールで希釈することによって、モノ体（Ｍ）、ジ体（Ｄ）、及びトリ体（Ｔ）と、エタノール１２質量％とを含有する４級アンモニウム塩混合物（ａ−２−３）を得た。
得られた４級アンモニウム塩混合物（ａ−２−３）は、（Ｍ）、（Ｄ）、及び（Ｔ）の質量比が、（Ｍ）／（Ｔ）＝１０／１００、（Ｄ）／（Ｔ）＝９６／１００であった。ＮＭＲ測定から算出した４級アンモニウム塩混合物（ａ−２−３）中の（Ｍ）、（Ｄ）、及び（Ｔ）の合計量は６６．５質量％であった。また、４級アンモニウム塩混合物（ａ−２−３）は、酸価、アミン価、ＮＭＲ測定からその他の成分として、未反応の３級アミン、脂肪酸を含有するものであった。
【００９１】
＜（ｂ）成分＞
（ｂ−１）：実施例及び比較例の（ｂ）成分は、各（ａ−１−１）〜（ａ―２−３）の合成の際に４級化しきれなかった未反応の３級アミンに由来するものであり、前記一般式（IV）で示される化合物、前記一般式（Ｖ）で示される化合物、前記一般式（VI）で示される化合物、及び前記一般式（VII）で示される化合物の混合物であり、表１では、それを便宜的に（ｂ−１）として示した。各一般式中、Ｒ４は脂肪酸由来のアルキル基又はアルケニル基であり、Ｒ５はヒドロキシエチル基であり、ｒは０の数であり、ｑは２の数である。
なお各（ａ）成分合成時に含まれる（ｂ）成分の３級アミン混合物濃度は、以下の通りである。
４級アンモニウム塩混合物（ａ−１−１）合成時の３級アミン混合物濃度
：４．１質量％
４級アンモニウム塩混合物（ａ−２−１）合成時の３級アミン混合物濃度
：２２．９質量％
４級アンモニウム塩混合物（ａ−２−２）合成時の３級アミン混合物濃度
：９．２質量％
４級アンモニウム塩混合物（ａ−２−３）合成時の３級アミン混合物濃度
：１４．５質量％
【００９２】
＜（ｃ）成分＞
（ｃ−１）：ポリオキシエチレンラウリルエーテル（エマルゲン１４０（花王（株）製）、平均エチレンオキシド付加モル数が４０の化合物）
【００９３】
＜（ｄ）成分＞
（ｄ−１）：エチレングリコール
（ｄ−２）：エタノール（（ａ）成分調製時の溶媒に由来する）
【００９４】
＜（ｅ）成分＞
（ｅ−１）：塩化カルシウム
【００９５】
＜その他の成分＞
香料：エチレンブラシレート、シクロペンタデカノイド、５−シクロヘキセデセノン−１−オン、エチレンドデカンジオエート、クマリン、バニリン、２−メチル−４−（２，２，３−トリメチル−３−シクロペンテン−１−イル）−２−ブテン−１−オール、アンブロキサン、エトキシメチルシクロドデシルエーテル、リモネン、ジヒドロミルセノール、１，８−シネオール、サリチル酸ｃｉｓ−３−ヘキセニルを含む。
【００９６】
実施例１〜５及び比較例１〜７
下記方法により表１に示す組成の液体柔軟剤組成物を調製し、以下の方法により柔軟性、粘度及び分散性を評価した。結果を表１に示す。
【００９７】
＜液体柔軟剤組成物の調製＞
本発明の液体柔軟剤組成物は、以下のようにして調製した。
上記方法により得られた４級アンモニウム塩混合物を任意量混合し得られた混合物と所定量の（ｃ）成分の混合物を６０℃で融解し組成物１〔（ａ）成分、（ｂ）成分に相当する化合物を含む〕を得た。３００ｍＬのガラス製ビーカー（内径７ｃｍ、高さ１１ｃｍ）に、液体柔軟剤組成物の出来上がり質量２００ｇとなるのに必要な量相当する量の脱イオン水（６０℃）及び所定量の（ｄ）成分を入れた後、６０℃で溶融した組成物１を投入した。次いで、スリーワンモーター（新東科学（株）製、TYPE HEIDON 1200G）に装着した攪拌羽根（タービン型攪拌羽根、３枚翼、翼長２ｃｍ）をガラス製ビーカー底面から１ｃｍの高さに設置し、回転数３００ｒｐｍ／ｍｉｎで５分間攪拌混合した。次いで、回転数３００ｒｐｍ／ｍｉｎで攪拌混合しながら氷水を入れたウォーターバス中で内容物温度が３０℃になるまで冷却し、これに所定量の（ｅ）成分及び香料を添加し、その後３分間撹拌した。各成分の濃度が表１記載の値となるのに必要な量の脱イオン水を添加し、２５℃、回転数２００ｒ／ｍｉｎにて３分間攪拌し、液体柔軟剤組成物を得た。
【００９８】
＜柔軟性の評価＞
洗浄用界面活性剤としてラウリルアルコールエチレンオキサイド８モル付加物の１０質量％水分散液を用い、全自動洗濯機で市販の木綿タオルを２回繰り返し洗濯後、充分に濯いで、これを試験布とした。次に、２５℃の水道水４．５Ｌに対して、調製した液体柔軟剤組成物を濃度が３３ｐｐｍとなるように加え、均一な液体柔軟剤分散液を調製した。この分散液中に浴比３０になるように各試験布を加え、５分間攪拌後、１分脱水した。処理した布は２３℃、４０％ＲＨの条件で乾燥させた後に、標準試験室（２０℃、６５％ＲＨ）にて柔軟性の評価を行った。
柔軟性の評価は、１０人の熟練試験者が対照布を基準として一対比較を行い、次の基準で評価し、１０人の評価の平均値を評価値とした。対照布には比較例１で柔軟仕上げ処理した布を用い、次の基準で評価して１０人の評価の平均値を小数点２桁で四捨五入し評価値とした。
＋２：対照布より柔らかい
＋１：対照布よりやや柔らかい
０：対照布と同等
-１：対照布よりややかたい
-２：対照布よりかたい
【００９９】
＜粘度の評価＞
各液体柔軟剤組成物の粘度を次の基準で評価した。
各液体柔軟剤組成物の粘度は、Ｂ型粘度計を用いて、測定対象の粘度に合ったＮｏ．１〜Ｎｏ．３のローターの何れかを使用し、６０ｒｐｍ／ｍｉｎで測定した。測定開始から１分後の指示値を測定値とした。また各液体柔軟剤組成物は３０±１℃に調温して測定した。条件を満たすローターが複数存在する場合は、番号の小さい方のローターを用いた時の数値を採用する。
【０１００】
＜分散性評価＞
各液体柔軟剤組成物の配合直後の外観を目視観察し、次の基準で評価した。
○：均一分散している
×：分離もしくはゲル化している
【０１０１】
【表１】
2017066569.tif 000008
【０１０２】
表１中、ゲル化とは、液体柔軟剤組成物がゲル状になった状態であることを意味し、粘度の測定を行わなかった。
またゲル化分離とは、液体柔軟剤組成物がゲル状であり、かつ液体が分離した状態であることを意味し、粘度の測定を行わなかった。
また分離５００以上とは、液体柔軟剤組成物が液体分離した状態であることを意味し、粘度が５００ｍＰａ・ｓ以上であったことを意味する。